【手続補正書】
【提出日】平成17年3月3日(2005.3.3)
【手続補正１】
【補正対象書類名】明細書
【補正対象項目名】特許請求の範囲
【補正方法】変更
【補正の内容】
【特許請求の範囲】
【請求項１】
２次元の表示領域を有する波形表示器における波形の表示位置の調整を行うための波形表示位置調整方法であって、前記２次元表示領域が、Ｘ軸とＹ軸とを有し、前記方法が、
イ）連続的に調整可能な連続調整手段を使用することによって、前記２次元表示領域に対する波形入力値の２次元波形値空間のマッピングを連続的に調整するマッピング連続調整ステップであって、前記マッピングが、
ａ）前記表示器の前記Ｘ軸およびＹ軸を含む２次元表示領域に対応した、ＸアドレスとＹアドレスによって指定されるメモリ・アドレス空間を定めるステップと、
ｂ）前記波形入力信号から、該入力信号が表す波形の波形値情報と該波形値情報に関係する時間情報とを発生するステップと、
ｃ）前記波形値情報から、前記メモリ・アドレス空間内のアドレスを指定するためのＹアドレスを発生するステップと、
ｄ）前記時間情報から、前記メモリ・アドレス空間内の前記アドレスを指定するためのＸアドレスを発生するステップと、
を含む、前記のマッピング連続調整ステップと、
ロ）前記連続調整手段に隣接して設けたスイッチ手段を使用することによって、前記マッピングを基準状態にリセットするマッピング・リセット・ステップと、
を備えた波形表示位置調整方法。
【請求項２】
請求項１記載の方法において、
前記マッピングの調整は、前記マッピングにおける前記２次元表示領域に対する前記２次元波形値空間の相対的位置の調整であること、
を特徴とする波形表示位置調整方法。
【請求項３】
請求項１記載の方法において、
前記基準状態は、
前記Ｘ軸に関するＸ軸基準状態であって、該状態では、前記２次元波形値空間内の基準点が前記２次元表示領域のＸ軸基準位置に位置する、前記のＸ軸基準状態と、
前記Ｙ軸に関するＹ軸基準状態であって、該状態では、前記２次元波形値空間内の前記基準点が前記２次元表示領域のＹ軸基準位置に位置する、前記のＹ軸基準状態と、
を有すること、
を特徴とする波形表示位置調整方法。
【請求項４】
請求項３記載の方法において、
前記２次元波形値空間の基準点は、Ｘ軸の値およびＹ軸の値の両方がゼロの点であること、
を特徴とする波形表示位置調整方法。
【請求項５】
請求項３記載の方法において、
前記マッピングの前記基準状態へのリセットは、前記Ｘ軸基準状態と前記Ｙ軸基準状態の一方または両方に対して実行可能であること、
を特徴とする波形表示位置調整方法。
【請求項６】
請求項１記載の方法において、
前記マッピング連続調整ステップおよび前記マッピング・リセット・ステップによる前記マッピングの調整は、
マッピング調整量に対応するＸアドレス変更量およびＹアドレス変更量とを生成するステップと、
前記Ｘアドレス変更量および前記Ｙアドレス変更量を、それぞれ、前記Ｘアドレスと前記Ｙアドレスに加算するステップと、
を含むこと、
を特徴とする波形表示位置調整方法。
【請求項７】
請求項６記載の方法において、
前記マッピング・リセット・ステップは、
前記Ｘ軸に対する前記マッピング・リセット手段が作動されたとき、前記Ｘアドレス変更量を、前記２次元表示領域の前記Ｘ軸基準位置に対応する所定のＸアドレス基準値に等しくし、
前記Ｙ軸に対する前記マッピング・リセット手段が作動されたとき、前記Ｙアドレス変更量を、前記２次元表示領域の前記Ｙ軸基準位置に対応する所定のＹアドレス基準値に等しくすること、
を含むこと、
を特徴とする波形表示位置調整方法。
【請求項８】
２次元表示領域を有する波形表示器における波形入力信号の波形の表示位置の調整を行う波形表示位置調整装置であって、前記２次元表示領域が、Ｘ軸とＹ軸とを有し、前記装置が、
イ）前記波形表示器の前記２次元表示領域に対し、前記波形入力信号から得る波形入力値のための２次元波形値空間をマッピングするマッピング手段と、
ロ）該マッピング手段に結合しており、前記マッピングを調整するマッピング調整手段と、
を備え、
前記マッピング調整手段が、
ａ）前記マッピング手段に結合しており、前記マッピングを連続的に調整するマッピング連続調整手段と、
ｂ）前記マッピング手段に結合しておりかつ前記連続調整手段に隣接して配置したマッピング・リセット手段であって、前記マッピングを所定の基準状態にリセットする、前記のマッピング・リセット手段と、
を含み、
前記マッピング連続調整手段と前記マッピング・リセット手段とは、
前記Ｘ軸に関して設けたロータリエンコーダおよびリセット・スイッチの組、
を含むこと、
を特徴とする波形表示位置調整装置。
【請求項９】
請求項８記載の装置において、
前記マッピングの調整は、前記マッピングにおける前記２次元表示領域に対する前記２次元波形値空間の相対的位置の調整であること、
を特徴とする波形表示位置調整装置。
【請求項１０】
請求項９記載の装置において、
前記基準状態は、
前記Ｘ軸に関するＸ軸基準状態であって、該状態では、前記２次元波形値空間の基準点が前記２次元表示領域のＸ軸基準位置に位置する、前記のＸ軸基準状態と、
前記Ｙ軸に関するＹ軸基準状態であって、該状態では、前記２次元波形値空間の基準点が前記２次元表示領域のＹ軸基準位置に位置する、前記のＹ軸基準状態と、
を有すること、
を特徴とする波形表示位置調整装置。
【請求項１１】
請求項１０記載の装置において、
前記マッピングの前記基準状態へのリセットは、前記Ｘ軸基準状態と前記Ｙ軸基準状態の一方または両方に対して実行可能であること、
を特徴とする波形表示位置調整装置。
【請求項１２】
請求項８記載の装置において、
前記マッピング連続調整手段と前記マッピング・リセット手段とは、さらに、
前記Ｙ軸に関して設けたロータリエンコーダおよびリセット・スイッチの組、
を含むこと、
を特徴とする波形表示位置調整装置。
【請求項１３】
２次元表示領域を有する波形表示器における波形入力信号の波形の表示位置の調整を行う波形表示位置調整装置であって、前記２次元表示領域が、Ｘ軸とＹ軸とを有し、前記装置が、
イ）前記波形表示器の前記２次元表示領域に対し、前記波形入力信号から得る波形入力値のための２次元波形値空間をマッピングするマッピング手段であって、  前記マッピング手段が、
ａ）前記表示器の前記Ｘ軸およびＹ軸を含む２次元表示領域に対応したメモリ・アドレス空間を有するフレーム・メモリ手段であって、Ｘアドレス入力と、Ｙアドレス入力とを有する、前記のフレーム・メモリ手段と、
ｂ）前記波形入力信号を受けるように接続しており、該波形入力信号から、該入力信号が表す波形の波形値情報と該波形値情報に関係する時間情報とを発生する信号処理手段と、
ｃ）前記波形値情報から、前記メモリ・アドレス空間のためのＹアドレスを発生するＹアドレス発生手段であって、該Ｙアドレスは前記フレーム・メモリ手段の前記Ｙアドレス入力に供給される、前記のＹアドレス発生手段と、
ｄ）前記時間情報から、前記メモリ・アドレス空間のためのＸアドレスを発生するＸアドレス発生手段であって、前記Ｘアドレスは前記フレーム・メモリ手段の前記Ｘアドレス入力に供給される、前記のＸアドレス発生手段と、
を含む、前記のマッピング手段と、
ロ）該マッピング手段に結合しており、前記マッピングを調整するマッピング調整手段と、
を備え、
前記マッピング調整手段が、
ａ）前記マッピング手段に結合しており、前記マッピングを連続的に調整するマッピング連続調整手段と、
ｂ）前記マッピング手段に結合しておりかつ前記連続調整手段に隣接して配置したマッピング・リセット手段であって、前記マッピングを所定の基準状態にリセットする、前記のマッピング・リセット手段と、
を含むこと、
を特徴とする波形表示位置調整装置。
【請求項１４】
請求項１３記載の装置において、
前記マッピング連続調整手段と前記マッピング・リセット手段とは、
前記Ｘ軸およびＹ軸の一方または双方の各々に関して設けたロータリエンコーダおよびリセット・スイッチの組、
を含むこと、を特徴とする波形表示位置調整装置。
【請求項１５】
請求項１３記載の装置において、
前記マッピング調整手段は、さらに、
前記マッピング連続調整手段と前記マッピング・リセット手段に結合しており、マッピング調整量に対応するＸアドレス変更量およびＹアドレス変更量とを生成するアドレス変更量生成手段と、
前記Ｘアドレス変更量および前記Ｙアドレス変更量を、それぞれ、前記Ｘアドレス発生手段が発生する前記Ｘアドレスと前記Ｙアドレス発生手段が発生する前記Ｙアドレスに加算する加算手段と、
を含むこと、
を特徴とする波形表示位置調整装置。
【請求項１６】
請求項１５記載の装置において、
前記アドレス変更量生成手段は、
前記Ｘ軸に対する前記マッピング・リセット手段が作動されたとき、前記Ｘアドレス変更量を、前記２次元表示領域の前記Ｘ軸基準位置に対応する所定のＸアドレス基準値に等しくし、
前記Ｙ軸に対する前記マッピング・リセット手段が作動されたとき、前記Ｙアドレス変更量を、前記２次元表示領域の前記Ｙ軸基準位置に対応する所定のＹアドレス基準値に等しくすること、
を特徴とする波形表示位置調整装置。
【請求項１７】
請求項８から１６のいずれかに記載の波形表示位置調整装置を備えた表示装置。